(57)【要約】【課題】  ディスプレイの輝度調整方法の提供。【解決手段】  リアルタイムにパネルの輝度を調整する方法であり、先ず光検出器で輝度を測定して第１参考値と第２参考値を発生し、次に変換公式で第１参考値と第２参考値を変換して輝度レベル値を得て、得られた輝度レベル値とパネルの設定値を比較し、輝度レベル値と設定値の差異がスレショルド値より大きいかを判断し、スレショルド値より小さければ輝度変化大きくなく且つユーザーの操作に適合することを表示し設定輝度値を改変せず、反対にスレショルド値より大きければ、輝度レベル値に対応する調整値により輝度調整を行ない、ディスプレイの輝度を周辺使用環境及びユーザーの要求に符合させる。【選択図】        図３
2005189795.tif 000002
【特許請求の範囲】
【請求項１】
ディスプレイの輝度調整方法において、
（Ａ）ディスプレイがオン状態にあるか否かを判断し、もしディスプレイがオン状態でなければ、（Ｈ）のステップを実行するステップ、
（Ｂ）光検出器が第１参考値を発生するステップ、
（Ｃ）光検出器が第２参考値を発生するステップ、
（Ｄ）第１参考値と第２参考値により輝度レベル値を発生するステップ、
（Ｅ）輝度レベル値と設定値の差異がスレショルド値より大きいかを判断し、スレショルド値より小さければ（Ｈ）のステップを実行するステップ、
（Ｆ）輝度レベル値に対応する調整値により設定値を調整してそれを保存するステップ、
（Ｇ）設定値の大きさによりディスプレイの輝度を調整するステップ、
（Ｈ）実行終了ステップ、
以上のステップを具えたことを特徴とする、ディスプレイの輝度調整方法。
【請求項２】
請求項１記載のディスプレイの輝度調整方法において、ディスプレイがタブレットＰＣ、液晶ディスプレイ、ノートブック型コンピュータのディスプレイ或いはテレビジョンのいずれかとされたことを特徴とする、ディスプレイの輝度調整方法。
【請求項３】
請求項１記載のディスプレイの輝度調整方法において、光検出器がディスプレイの表面に設置されたことを特徴とする、ディスプレイの輝度調整方法。
【請求項４】
請求項１記載のディスプレイの輝度調整方法において、第１参考値が赤外光値とされたことを特徴とする、ディスプレイの輝度調整方法。
【請求項５】
請求項１記載のディスプレイの輝度調整方法において、第２参考値が可視光値及び赤外光値のいずれかとされたことを特徴とする、ディスプレイの輝度調整方法。
【請求項６】
請求項１記載のディスプレイの輝度調整方法において、輝度レベル値が設定値より大きく、且つ差異がスレショルド値より大きい時、設定値に調整値を加える調整を行なうことを特徴とする、ディスプレイの輝度調整方法。
【請求項７】
請求項６記載のディスプレイの輝度調整方法において、輝度レベル値の変動範囲が少なくとも一つのセグメントに分けられ、各セグメントが異なる調整値に対応することを特徴とする、ディスプレイの輝度調整方法。
【請求項８】
請求項７記載のディスプレイの輝度調整方法において、輝度レベル値の変動範囲が０−２５５の間とされたことを特徴とする、ディスプレイの輝度調整方法。
【請求項９】
請求項７記載のディスプレイの輝度調整方法において、少なくとも一つのセグメントが四つのセグメントとされ、その対応する調整値が、それぞれ１、２、３、及び４とされたことを特徴とする、ディスプレイの輝度調整方法。
【請求項１０】
請求項１記載のディスプレイの輝度調整方法において、輝度レベル値が設定値より小さく、且つその差異がスレショルド値より大きい時、設定値より調整値を減らす調整を行なうことを特徴とする、ディスプレイの輝度調整方法。
【請求項１１】
請求項１０記載のディスプレイの輝度調整方法において、輝度レベル値の変動範囲が少なくとも一つのセグメントに分けられ、各セグメントが異なる調整値に対応することを特徴とする、ディスプレイの輝度調整方法。
【請求項１２】
請求項１１記載のディスプレイの輝度調整方法において、輝度レベル値の変動範囲が０−２５５の間とされたことを特徴とする、ディスプレイの輝度調整方法。
【請求項１３】
請求項１１記載のディスプレイの輝度調整方法において、少なくとも一つのセグメントが四つのセグメントとされ、その対応する調整値が、それぞれ１、２、３、及び４とされたことを特徴とする、ディスプレイの輝度調整方法。
【発明の詳細な説明】
【技術分野】
【０００１】
本発明は一種のディスプレイの輝度調整方法に係り、特にコンピュータのディスプレイの輝度を調整する方法に関する。
【背景技術】
【０００２】
一般に周知のディスプレイの輝度調整方法は、手動の方式でパネル上で輝度変化を制御し、図１に示されるように、ディスプレイ（例えばタブレットＰＣ）５の表面に調整ボタン６が設けられて表示パラメータの調整に供され、間接的に表示フレームの輝度を調整する。しかしこのような制御方式は、比較的明るいバックライト状態下で作業し、比較的明るい表示フレームを使用するため、ディスプレイ５が比較的高いパワーを消費し、電池使用時間を短縮し、且つユーザーはあまり満足できない環境下で操作することになる。次に、ディスプレイ５の表示フレームが長時間高いバックライト状態（高輝度）で運転する時、ＬＣＤバックライトの使用寿命もこれにより短縮される。ユーザーが自分でディスプレイ５の輝度を増そうとする場合、ユーザーが比較的明るい環境から暗い環境に進入する時、ディスプレイの表示フレームが明る過ぎるため、使用者の閲覧上の問題を形成する。
【発明の開示】
【発明が解決しようとする課題】
【０００３】
本発明の主要な目的は、一種のディスプレイの輝度調整方法を提供することにあり、それは、ディスプレイの所在位置の明るさによりディスプレイの輝度を調整し、ディスプレイの消耗する電力を節約し、その使用寿命を増す方法であるものとする。
【０００４】
本発明の別の目的は、一種のディスプレイの輝度調整方法を提供することにあり、それは、ディスプレイ所在位置の明るさによりディスプレイの輝度を調整し、全体の輝度変調をスムースとし、使用者が快適に使用できるようにする方法であるものとする。
【課題を解決するための手段】
【０００５】
請求項１の発明は、ディスプレイの輝度調整方法において、
（Ａ）ディスプレイがオン状態にあるか否かを判断し、もしディスプレイがオン状態でなければ、（Ｈ）のステップを実行するステップ、
（Ｂ）光検出器が第１参考値を発生するステップ、
（Ｃ）光検出器が第２参考値を発生するステップ、
（Ｄ）第１参考値と第２参考値により輝度レベル値を発生するステップ、
（Ｅ）輝度レベル値と設定値の差異がスレショルド値より大きいかを判断し、スレショルド値より小さければ（Ｈ）のステップを実行するステップ、
（Ｆ）輝度レベル値に対応する調整値により設定値を調整してそれを保存するステップ、
（Ｇ）設定値の大きさによりディスプレイの輝度を調整するステップ、
（Ｈ）実行終了ステップ、
以上のステップを具えたことを特徴とする、ディスプレイの輝度調整方法としている。
請求項２の発明は、請求項１記載のディスプレイの輝度調整方法において、ディスプレイがタブレットＰＣ、液晶ディスプレイ、ノートブック型コンピュータのディスプレイ或いはテレビジョンのいずれかとされたことを特徴とする、ディスプレイの輝度調整方法としている。
請求項３の発明は、請求項１記載のディスプレイの輝度調整方法において、光検出器がディスプレイの表面に設置されたことを特徴とする、ディスプレイの輝度調整方法としている。
請求項４の発明は、請求項１記載のディスプレイの輝度調整方法において、第１参考値が赤外光値とされたことを特徴とする、ディスプレイの輝度調整方法としている。
請求項５の発明は、請求項１記載のディスプレイの輝度調整方法において、第２参考値が可視光値及び赤外光値のいずれかとされたことを特徴とする、ディスプレイの輝度調整方法としている。
請求項６の発明は、請求項１記載のディスプレイの輝度調整方法において、輝度レベル値が設定値より大きく、且つ差異がスレショルド値より大きい時、設定値に調整値を加える調整を行なうことを特徴とする、ディスプレイの輝度調整方法としている。
請求項７の発明は、請求項６記載のディスプレイの輝度調整方法において、輝度レベル値の変動範囲が少なくとも一つのセグメントに分けられ、各セグメントが異なる調整値に対応することを特徴とする、ディスプレイの輝度調整方法としている。
請求項８の発明は、請求項７記載のディスプレイの輝度調整方法において、輝度レベル値の変動範囲が０−２５５の間とされたことを特徴とする、ディスプレイの輝度調整方法としている。
請求項９の発明は、請求項７記載のディスプレイの輝度調整方法において、少なくとも一つのセグメントが四つのセグメントとされ、その対応する調整値が、それぞれ１、２、３、及び４とされたことを特徴とする、ディスプレイの輝度調整方法としている。
請求項１０の発明は、請求項１記載のディスプレイの輝度調整方法において、輝度レベル値が設定値より小さく、且つその差異がスレショルド値より大きい時、設定値より調整値を減らす調整を行なうことを特徴とする、ディスプレイの輝度調整方法としている。
請求項１１の発明は、請求項１０記載のディスプレイの輝度調整方法において、輝度レベル値の変動範囲が少なくとも一つのセグメントに分けられ、各セグメントが異なる調整値に対応することを特徴とする、ディスプレイの輝度調整方法としている。
請求項１２の発明は、請求項１１記載のディスプレイの輝度調整方法において、輝度レベル値の変動範囲が０−２５５の間とされたことを特徴とする、ディスプレイの輝度調整方法としている。
請求項１３の発明は、請求項１１記載のディスプレイの輝度調整方法において、少なくとも一つのセグメントが四つのセグメントとされ、その対応する調整値が、それぞれ１、２、３、及び４とされたことを特徴とする、ディスプレイの輝度調整方法としている。
【発明の効果】
【０００６】
本発明のディスプレイの輝度調整方法は、ディスプレイの所在位置の明るさによりディスプレイの輝度を調整し、ディスプレイの消耗する電力を節約し、その使用寿命を増し、且つ、全体の輝度変調をスムースとし、使用者が快適に使用できるようにする方法である。
【発明を実施するための最良の形態】
【０００７】
本発明のディスプレイの輝度調整方法は以下のステップを具えている。
（Ａ）ディスプレイがオン状態にあるか否かを判断し、もしディスプレイがオン状態でなければ、（Ｈ）のステップを実行する。
（Ｂ）光検出器が第１参考値を発生する。
（Ｃ）光検出器が第２参考値を発生する。
（Ｄ）第１参考値と第２参考値により輝度レベル値を発生する。
（Ｅ）輝度レベル値と設定値の差異がスレショルド値より大きいかを判断し、スレショルド値より小さければ（Ｈ）のステップを実行する。
（Ｆ）輝度レベル値に対応する調整値により設定値を調整してそれを保存する。
（Ｇ）設定値の大きさによりディスプレイの輝度を調整する。
（Ｈ）実行終了。
【実施例１】
【０００８】
図２に示されるように、ディスプレイ１０内部には埋め込み式コントロールチップ１４及び光検出器１３が組み付けられ、並びに光検出器１３によりディスプレイ１０の現在の環境の輝度を検出し、並びに埋め込み式コントロールチップ１４の運転が組み合わされてディスプレイ１０の表示フレームの良好な輝度が計算され、ディスプレイ１０が比較的明るい環境下ではその表示フレームの輝度を自動的に明るく切り換え、ディスプレイ１０が比較的暗い環境にある時は、その表示フレームの輝度を自動的に暗く切り換える。こうして、使用者に対して、表示フレームの輝度が過度に明るい、或いは暗いことによる不適な状況を発生しない。本発明のディスプレイの輝度調整方法のフローは図３に示されるようであり、この方法は実行開始後に、まず、ディスプレイがオン状態にあるか否かを判断し（ステップＳ３１）、もしディスプレイがオン状態でなければ、光検出器１３により第１参考値を発生し（ステップＳ３２）及び第２参考値を発生する（ステップＳ３３）。第１参考値は光検出器１３が検出したディスプレイ１０の所在の環境の赤外光値であり、第２参考値は光検出器１３が検出したディスプレイ１０の所在の環境の可視光値及び赤外光値であり、この二つの参考値を変換公式に代入して計算して、輝度レベル値を得る（ステップＳ３４）。そのうち、変換公式は以下のとおりである。
【０００９】
Ｒ＝第１参考値／第２参考値                    （１）
輝度値＝第２参考値* ０．４６* ｅ-3.13R        （２）
【００１０】
但し以上に制限されるものではない。その後、輝度値に対してアナログ／デジタル変換（Ａ／Ｄ  ｃｏｎｖｅｒｔｉｏｎ）を行ない輝度レベル値を得る。輝度レベル値の好ましい範囲は０〜２５５であり、０はパネル輝度が最も暗いことを表示し、２５５はパネル輝度が最も明るいことを代表する輝度レベル値である。これから分かるように、輝度レベル値の歯には使用者の実際の必要により決定され、以上に制限されるものではない。変換公式により得られた輝度レベル値と設定値を比較し、二つの数値間の差異を取得し、設定値はディスプレイ１０の現在の輝度値であり、並びにこの差異数値とスレショルド値を比較し（ステップＳ３５）、もし二つの数値間の差異値がスレショルド値より大きくなければ、ディスプレイ１０の所在の環境の輝度変化は大きくなく、使用者が視覚上許容できる輝度変化範囲にあることを示し、即ち表示フレームの輝度を保持してディスプレイ１０の輝度値を改変しない。もし二つの数値間の差異値がスレショルド値より大きければ、即ちディスプレイ１０の所在の環境の輝度変化が輝度許容変化の範囲を超過していることを示し、このとき、輝度レベル値の対応する調整値により設定値を調整し、並びにこれを保存し（ステップＳ３６）、更新後の設定値となす。最後に設定値の大きさによりディスプレイ１０の輝度を調整し（ステップＳ３７）、本発明のディスプレイ１０の輝度調整方法の実行を終了する（ステップＳ３８）。
【００１１】
以上に述べた調整値は輝度レベル値の数値と関係があり、ここにあって、輝度レベル値の範囲は四つのセグメントに分けられるが、これに限定されるわけではない。四つのセグメントとその対応する調整値は、０〜６０が第１セグメントでその対応する調整値は１であり、６１〜１２５が第２セグメントでその対応する調整値は２であり、１２６〜２１６が第３セグメントでその対応する調整値は３であり、２１７〜２５５が第４セグメントでその対応する調整値は４である。輝度レベル値が１００の時、それは第２セグメントにあり、この輝度レベル値を調整する時には２を増減するか或いは２を減らすことを以て一つの調整単位とし、この方法で調整することで、ディスプレイ１０の輝度をスムースに調整してユーザーの使用に最も適合する輝度値とすることができる。もし輝度レベル値が設定値より大きい時は、その調整は増加を指す。もし輝度レベル値が設定値より小さい時は、その調整は減少を指す。スレショルド値はディスプレイ１０の輝度調整を実行するか否かの根拠とされ、その値は５、１０、或いは１５とされ、この実施例では５が好ましい選択とされている。輝度レベル値が１００で、設定値が１０４の時、二つの値の差の差異は５より小さく、ゆえにディスプレイ１０の輝度調整を行なわない。輝度レベル値が９５で設定値が１０４の時、二つの値の差異は５より大きいため、ディスプレイ１０の輝度調整を行ない、設定値より２を減らし、並びに保存して新たな設定値（値は１０２）となす。輝度レベル値が１１０で、設定値が１０４の時、二つの値の差異は５より大きく、このためディスプレイ１０の輝度調整を行ない、設定値を２増加し、並びに新たな設定値（値は１０６）として保存する。
【００１２】
以上の説明から分かるように、本発明は光検出器１３を利用してユーザーの所在の環境の輝度変化を測定し、これによりディスプレイ１０のパネル輝度を調整し、全体の輝度変調表現をスムースとし、ユーザーの視覚に快適感を与える。そのうち、ディスプレイ１０はタブレットＰＣ、液晶ディスプレイ、ノートブック型コンピュータのディスプレイ或いはテレビジョンとされうる。
【００１３】
以上の実施例は本発明の権利請求の範囲を限定するものではなく、本発明に基づきなしうる細部の修飾或いは改変は、いずれも本発明の権利請求範囲に属するものとする。
【図面の簡単な説明】
【００１４】
【図１】周知のディスプレイの表示図である。
【図２】本発明のディスプレイの表示図である。
【図３】本発明のディスプレイの輝度調整方法のフローチャートである。
【符号の説明】
【００１５】
５  ディスプレイ            ６  調整ボタン      １０  ディスプレイ
１１  調整ボタン          １３  光検出器
１４  埋め込み式コントロールチップ
【図１】
2005189795.tif 000003
【図２】
2005189795.tif 000004
【図３】
2005189795.tif 000005